(57)【要約】【課題】ローテーションノイズを発生させず、また、複雑な制御を行うことなく、プリチャージ間引き駆動を行う。【解決手段】一水平走査期間において、表示すべき階調に応じた大きさの画像信号を画素にデータ線１４を介して階調表示期間ＴWRTに供給すると共に、階調表示期間ＴWRT前のプリチャージ期間ＴPREに、プリチャージ電圧をデータ線１４に供給する信号生成回路５２と、信号生成回路５２とデータ線１４との間に設けられ、データ線１４を選択する信号分配回路５４と、プリチャージ期間ＴPREにおいては、データ線１４の所定の本数ごとに、データ線１４を非選択とするように信号分配回路５４を制御する制御回路４０と、を備え、制御回路４０は、所定の水平走査期間ごとに、異なるデータ線１４を非選択とするように信号分配回路５４を制御する。【選択図】図５
2017167425.tif 000002
【特許請求の範囲】
【請求項１】
複数の走査線と、
複数のデータ線と、
前記複数の走査線および前記複数のデータ線の交差に各々対応して設けられた画素と、
前記走査線に前記走査信号を供給する走査線駆動部と、
一水平走査期間において、表示すべき階調に応じた大きさの第１電圧を前記画素に前記データ線を介して第１期間に供給すると共に、該第１期間前の第２期間に、第２電圧を前記データ線に供給するデータ線駆動部と、
前記データ線駆動部と前記データ線との間に設けられ、前記データ線を選択するデータ線選択部と、
前記第２期間においては、前記データ線の所定の本数ごとに、前記データ線を非選択とするように前記データ線選択部を制御する制御部と、を備え、
前記制御部は、所定の水平走査期間ごとに、異なる前記データ線を非選択とするように前記データ線選択部を制御する、
ことを特徴とする電気光学装置。
【請求項２】
前記制御部は、前記第２期間においては、奇数番目または偶数番目の前記データ線を非選択とするように前記データ線選択部を制御し、一水平走査期間ごとに、異なる前記データ線を非選択とするように前記データ線選択部を制御する、
ことを特徴とする請求項１に記載の電気光学装置。
【請求項３】
前記第１期間は階調表示期間を含み、前記第２期間は帰線期間を含み、前記第２電圧はプリチャージ電圧を含む、
ことを特徴とする請求項１または請求項２に記載の電気光学装置。
【請求項４】
複数の走査線と、複数のデータ線と、前記複数の走査線および前記複数のデータ線の交差に各々対応して設けられた画素と、前記走査線に前記走査信号を供給する走査線駆動部と、一水平走査期間において、表示すべき階調に応じた大きさの第１電圧を前記画素に前記データ線を介して第１期間に供給すると共に、該第１期間前の第２期間に、第２電圧を前記データ線に供給するデータ線駆動部と、前記データ線駆動部と前記データ線との間に設けられ、前記データ線を選択するデータ線選択部と、を備える電気光学装置の制御方法であって、
前記第２期間においては、前記データ線の所定の本数ごとに、前記データ線を非選択とするように前記データ線選択部を制御し、
所定の水平走査期間ごとに、異なる前記データ線を非選択とするように前記データ線選択部を制御する、
ことを特徴とする電気光学装置の制御方法。
【請求項５】
請求項１ないし請求項３のいずれか一に記載の電気光学装置を備えることを特徴とする電子機器。
【発明の詳細な説明】
【技術分野】
【０００１】
本発明は、例えば液晶装置等の電気光学装置、電気光学装置の制御方法、および該電気光学装置を備えて構成される例えば液晶プロジェクター等の電子機器の技術分野に関する。
【背景技術】
【０００２】
液晶素子を用いて画像を表示させる電気光学装置が広く開発されている。この電気光学装置では、各画素の表示階調を指定する画像信号を、データ線を介して各画素に供給することで、各画素が具備する液晶の透過率を画像信号の指定階調に応じた透過率に制御し、これにより、各画素に画像信号の指定する階調を表示させる。
【０００３】
ところで、各画素に画像信号を供給する時間を十分に確保できない場合等、画像信号の供給が不十分な場合には、各画素が画像信号の指定する階調を正確に表示することができなくなり、表示品位が低下することがある。このような画素に対する画像信号の書込不足による表示品位の低下という問題に対応するために、従来は次のような対策が行われていた。例えば、各画素やデータ線に対して、画像信号の電位に近い電位のプリチャージ信号を、画像信号を供給する前に供給することで、各画素に対する画像信号の書込を容易にする技術が提案されている。
【０００４】
プリチャージ信号は、画像信号の書込み前に、予め全てのデータ線またはデータ線に接続される制御線へ電圧を書き込んでおく補助的な信号である。この期間に特定の電圧を書込むことで、書込み補助や各種補正不具合を改善している。
【０００５】
また、画像信号の電位に近い高電位のプリチャージ信号を供給する前に、低電位のプリチャージ信号を供給する２段プリチャージ駆動と呼ばれる駆動方式も提案されている。２段プリチャージ駆動によれば、画質の改善と書込み補助の両立を図ることができる。
【０００６】
しかし、電気光学装置の高解像度化に伴って走査線およびデータ線の本数の増大により、一水平走査期間を短くする必要があり、その結果、プリチャージ信号を供給する水平帰線期間も短くなるという傾向がある。そこで、従来は、任意の水平走査期間においては、２段プリチャージのうち、高電位のプリチャージ信号のみを供給するプリチャージ間引き駆動と呼ばれる駆動方式も提案されている（例えば、特許文献１）。プリチャージ間引き駆動によれば、高電位のプリチャージ信号のみを供給することによって、プリチャージ信号の供給期間を短縮することができ、一水平走査期間を短くすることができる。
【先行技術文献】
【特許文献】
【０００７】
【特許文献１】特開２００６−３０８７１２号公報
【発明の概要】
【発明が解決しようとする課題】
【０００８】
しかしながら、特許文献１の手法では、所定の水平走査期間ごとに間引き駆動を行うため、ローテーション周期が遅くなり、ローテーションノイズとして表示に現れることがあった。また、複数のラインを跨いだ制御が必要になるため、制御が複雑になるという課題が存在していた。
【０００９】
本発明は、例えば上記課題に鑑みてなされたものであり、ノイズを発生させず、また、複雑な制御を行うことなく、効率的にプリチャージ間引き駆動を行う電気光学装置、電気光学装置の制御方法、および該電気光学装置を備えた電子機器を提供することを課題とする。
【課題を解決するための手段】
【００１０】
上記課題を解決するために本発明の電気光学装置の一態様は、複数の走査線と、複数のデータ線と、前記複数の走査線および前記複数のデータ線の交差に各々対応して設けられた画素と、前記走査線に前記走査信号を供給する走査線駆動部と、一水平走査期間において、表示すべき階調に応じた大きさの第１電圧を前記画素に前記データ線を介して第１期間に供給すると共に、該第１期間前の第２期間に、第２電圧を前記データ線に供給するデータ線駆動部と、前記データ線駆動部と前記データ線との間に設けられ、前記データ線を選択するデータ線選択部と、前記第２期間においては、前記データ線の所定の本数ごとに、前記データ線を非選択とするように前記データ線選択部を制御する制御部と、を備え、前記制御部は、所定の水平走査期間ごとに、異なる前記データ線を非選択とするように前記データ線選択部を制御する、ことを特徴とする。
【００１１】
この態様によれば、データ線駆動部から表示すべき階調に応じた大きさの第１電圧が第１期間にデータ線を介して画素に供給される。また、第１電圧の供給前には、第１期間前の第２期間に、第２電圧がデータ線に供給される。第２電圧をデータ線に供給することにより、画質の改善等が実現される。但し、第２期間においては、ある走査線が選択される際には、制御部は、データ線の所定の本数ごとに、データ線を非選択とするようにデータ線選択部を制御する。さらに、制御部は、所定の水平走査期間ごとに、異なる前記データ線を非選択とするように前記データ線選択部を制御する。したがって、一水平走査期間を短縮することができる。さらに、第２電圧の供給が行われる箇所が、画素単位となり、かつ、走査線方向およびデータ線方向において分散されるので、第２電圧の供給が行われない箇所との差異が見え難くなる。また、データ線選択部の制御は、一水平走査期間単位となり、データ線を選択する信号の一水平走査期間内におけるデューティー等を変更する必要がなく、簡易な制御が可能となる。
【００１２】
上述した電気光学装置の一態様において、前記制御部は、前記第２期間においては、奇数番目または偶数番目の前記データ線を非選択とするように前記データ線選択部を制御し、一水平走査期間ごとに、異なる前記データ線を非選択とするように前記データ線選択部を制御するようにしてもよい。この態様によれば、一水平走査期間を短縮することができる。さらに、第２電圧の供給が行われる箇所が、走査線方向およびデータ線方向において画素単位となり、第２電圧の供給が行われない箇所との差異が見え難くなる。また、データ線選択部の制御は、一水平走査期間単位となり、データ線を選択する信号の一水平走査期間内におけるデューティー等を変更する必要がなく、簡易な制御が可能となる。
【００１３】
上述した電気光学装置の一態様において、前記第１期間は階調表示期間を含み、前記第２期間は帰線期間を含み、前記第２電圧はプリチャージ電圧を含むようにしてもよい。この態様によれば、階調表示期間において第１電圧がデータ線を介して画素に書き込まれ、帰線期間においてプリチャージ電圧がデータ線に書き込まれる。ある走査線が選択され、プリチャージ電圧を書き込む際には、制御部は、データ線の所定の本数ごとに、データ線を非選択とするようにデータ線選択部を制御する。さらに、プリチャージ電圧を書き込む際には、制御部は、所定の水平走査期間ごとに、異なる前記データ線を非選択とするように前記データ線選択部を制御する。したがって、一水平走査期間を短縮することができる。さらに、プリチャージ電圧の供給が行われる箇所が、画素単位となり、かつ、走査線方向およびデータ線方向において分散されるので、プリチャージ電圧の供給が行われない箇所との差異が見え難くなる。また、データ線選択部の制御は、一水平走査期間単位となり、データ線を選択する信号の一水平走査期間内におけるデューティー等を変更する必要がなく、簡易な制御が可能となる。
【００１４】
上記課題を解決するために本発明の電気光学装置の制御方法の一態様は、複数の走査線と、複数のデータ線と、前記複数の走査線および前記複数のデータ線の交差に各々対応して設けられた画素と、前記走査線に前記走査信号を供給する走査線駆動部と、一水平走査期間において、表示すべき階調に応じた大きさの第１電圧を前記画素に前記データ線を介して第１期間に供給すると共に、該第１期間前の第２期間に、第２電圧を前記データ線に供給するデータ線駆動部と、前記データ線駆動部と前記データ線との間に設けられ、前記データ線を選択するデータ線選択部と、を備える電気光学装置の制御方法であって、前記第２期間においては、前記データ線の所定の本数ごとに、前記データ線を非選択とするように前記データ線選択部を制御し、所定の水平走査期間ごとに、異なる前記データ線を非選択とするように前記データ線選択部を制御する、ことを特徴とする。
【００１５】
この態様によれば、データ線駆動部から表示すべき階調に応じた大きさの第１電圧が第１期間にデータ線を介して画素に供給される。また、第１電圧の供給前には、第１期間前の第２期間に、第２電圧がデータ線に供給される。第２電圧をデータ線に供給することにより、画質の改善等が実現される。但し、第２期間においては、ある走査線が選択される際には、データ線の所定の本数ごとに、データ線を非選択とするようにデータ線選択部を制御する。さらに、所定の水平走査期間ごとに、異なる前記データ線を非選択とするように前記データ線選択部を制御する。したがって、一水平走査期間を短縮することができる。さらに、第２電圧の供給が行われる箇所が、画素単位となり、かつ、走査線方向およびデータ線方向において分散されるので、第２電圧の供給が行われない箇所との差異が見え難くなる。また、データ線選択部の制御は、一水平走査期間単位となり、データ線を選択する信号の一水平走査期間内におけるデューティー等を変更する必要がなく、簡易な制御が可能となる。
【００１６】
次に、本発明に係る電子機器は、上述した本発明に係る電気光学装置を備える。そのような電子機器は、液晶ディスプレイ等の表示装置において、一水平走査期間が短縮されるので、第１電圧および第２電圧を確実に書き込むことができ、画像品質の高い電子機器が提供される。
【図面の簡単な説明】
【００１７】
【図１】本発明の第１実施形態に係る電気光学装置の説明図である。
【図２】同実施形態に係る電気光学装置の構成を示すブロック図である。
【図３】画素の構成を示す回路図である。
【図４】電気光学装置の信号供給回路の構成を示すブロック図である。
【図５】駆動用集積回路のタイミングチャートである。
【図６】データ線の選択信号の選択回路の構成を示すブロック図である。
【図７】図６の選択回路におけるプリチャージ電圧供給時のカウンター値と選択信号との関係を示す図である。
【図８】第１実施形態における第ｎ番目のフレームでのプリチャージ電圧供給時のデータ線の選択および非選択のパターンを示す図である。
【図９】第１実施形態における第ｎ＋１番目のフレームでのプリチャージ電圧供給時のデータ線の選択および非選択のパターンを示す図である。
【図１０】第２実施形態における第ｎ番目のフレームでのプリチャージ電圧供給時のデータ線の選択および非選択のパターンを示す図である。
【図１１】第２実施形態における第ｎ＋１番目のフレームでのプリチャージ電圧供給時のデータ線の選択および非選択のパターンを示す図である。
【図１２】第２実施形態における第ｎ番目のフレームでのプリチャージ電圧供給時のデータ線の選択および非選択の他のパターンを示す図である。
【図１３】第２実施形態における第ｎ＋１番目のフレームでのプリチャージ電圧供給時のデータ線の選択および非選択の他のパターンを示す図である。
【図１４】電子機器の一例を示す説明図である。
【図１５】電子機器の他の例を示す説明図である。
【図１６】電子機器の他の例を示す説明図である。
【発明を実施するための形態】
【００１８】
＜第１実施形態＞
本発明の第１実施形態について図１ないし図９を参照しつつ説明する。図１は電気光学装置１に対する信号伝送系の構成を示す図である。図１に示すように、電気光学装置１は、電気光学パネル１００と、駆動用集積回路２００と、フレキシブル回路基板３００とを備え、電気光学パネル１００が、駆動用集積回路２００の搭載されたフレキシブル回路基板３００に接続されている。電気光学パネル１００は、このフレキシブル回路基板３００および駆動用集積回路２００を介して、図示しないホストＣＰＵ装置の基板に接続されている。駆動用集積回路２００は、ホストＣＰＵ装置からフレキシブル回路基板３００を介して画像信号および駆動制御のための各種の制御信号を受信し、フレキシブル回路基板３００を介して電気光学パネル１００を駆動する装置である。
【００１９】
図２は、電気光学装置１の構成を示すブロック図である。図２に示すように、電気光学装置１は、画素部１０と、駆動用集積回路２００とを備えている。駆動用集積回路２００は、走査線駆動部としての走査線駆動回路２２と、信号供給回路２４と、制御部としての制御回路４０とを備えている。信号供給回路２４は、後述するように、データ線駆動部としての信号生成回路５２とデータ線選択部としての信号分配回路５４とを含んで構成される。
【００２０】
画素部１０には、相互に交差するＭ本の走査線１２とＮ本のデータ線１４とが形成されている（Ｍ，Ｎは自然数）。複数の画素回路（画素）ＰIXは、各走査線１２と各データ線１４との交差に対応して設けられており、縦Ｍ行×横Ｎ列の行列状に配列されている。図２に示すように、画素部１０内のＮ本のデータ線１４は、一例として、相隣接する８本を単位としてＪ個の配線群（ブロック）Ｂ[1]〜Ｂ[J]に区分される（Ｊ＝Ｎ/８）。換言すると、データ線１４は、配線群Ｂ毎にグループ化される。
【００２１】
図３は、各画素回路ＰIXの回路図である。図３に示すように、各画素回路ＰIXは、液晶素子６０とＴＦＴ等のスイッチング素子ＳWとを含む。液晶素子６０は、相互に対向する画素電極６２およびコモン電極６４と両電極間の液晶６６とで構成された電気光学素子である。画素電極６２とコモン電極６４との間の印加電圧に応じて液晶６６の透過率（表示階調）が変化する。なお、液晶素子６０に並列に補助容量を接続した構成も採用され得る。スイッチング素子ＳWは、例えば、走査線１２にゲートが接続されたＮチャネル型のトランジスターで構成され、液晶素子６０とデータ線１４との間に設けられ両者の電気的な接続（導通／非導通）を制御する。走査信号Ｇ[m]が選択電位に設定されることで第ｍ行の各画素回路ＰIXにおけるスイッチング素子ＳWが同時にオン状態に遷移する。
【００２２】
画素回路ＰIXに対応する走査線１２が選択され、当該画素回路ＰIXのスイッチング素子ＳWがオン状態に制御されたとき、液晶素子６０には、データ線１４から当該画素回路ＰIXに供給される画像信号Ｄ[n]に応じた電圧が印加される。その結果、当該画素回路ＰIXの液晶６６は、画像信号Ｄ[n]に応じた透過率に設定される。また、図示しない光源がオン（点灯）状態となり、光源から光が出射されると、当該光は、画素回路ＰIXが備える液晶素子６０の液晶６６を透過して、観察者側に進行する。すなわち、液晶素子６０に画像信号Ｄ[n]に応じた電圧が印加され、且つ、光源がオン状態となることで、当該画素回路ＰIXに対応する画素は、画像信号Ｄ[n]に応じた階調を表示することになる。
【００２３】
画素回路ＰIXの液晶素子６０に画像信号Ｄ[n]に応じた電圧が印加された後、スイッチング素子ＳWがオフ状態となると、理想的には当該画像信号Ｄ[n]に対応する印加電圧が保持される。従って、理想的には、各画素は、スイッチング素子ＳWがオン状態となった後から、次にオン状態となるまでの期間において、画像信号Ｄ[n]に応じた階調を表示する。
【００２４】
図３に示すように、データ線１４と画素電極６２との間（または、データ線１４と、画素電極６２及びスイッチング素子ＳWを電気的に接続する配線との間）には、容量Ｃａが寄生する。そのため、スイッチング素子ＳWがオフ状態である間に、データ線１４の電位変動が容量Ｃａを介して画素電極６２に伝播し、液晶素子６０の印加電圧が変動することがある。
【００２５】
また、コモン電極６４には、図示しないコモン線を介して、一定の電圧であるコモン電圧ＬＣＣＯＭが供給される。コモン電圧ＬＣＣＯＭとしては、画像信号Ｄ[n]の中心電圧を０Ｖとしたとき−０．５Ｖ程度の電圧が用いられる。これは、スイッチング素子ＳW等の特性によるものである。
【００２６】
本実施形態では、いわゆる焼き付きを防止するため、液晶素子６０に印加する電圧の極性を所定周期で反転する極性反転駆動を採用する。この例では、データ線１４を介して画素回路ＰIXに供給する画像信号Ｄ[n]のレベルを、画像信号Ｄ[n]の中心電圧に対して単位期間ごとに反転する。単位期間Ｕ１，Ｕ２は、画素回路ＰIXを駆動する動作の１単位となる期間である。この例では、単位期間は垂直走査期間Ｖとなっている。但し、単位期間は任意に設定することができ、例えば、垂直走査期間Ｖの自然数倍であってもよい。本実施形態においては、画像信号Ｄ[n]が画像信号Ｄ[n]の中心電圧に対して高電圧となる場合を正極性とし、画像信号Ｄ[n]が画像信号Ｄ[n]の中心電圧に対して低電圧となる場合を負極性とする。
【００２７】
説明を図２に戻す。制御回路４０には、図示しない外部のホストＣＰＵ装置から、垂直同期信号Ｖｓ、水平同期信号Ｈｓ、ドットクロック信号ＤＣＬＫ等の外部信号が入力される。制御回路４０は、これらの信号に基づいて、垂直走査期間Ｖを規定する同期信号ＶSYNCや水平走査期間Ｈを規定する同期信号ＨSYNCを走査線駆動回路２２および信号供給回路２４に供給する。制御回路４０は、このようにして走査線駆動回路２２および信号供給回路２４を同期制御する。この同期制御の下、走査線駆動回路２２および信号供給回路２４は、互いに協働して画素部１０の表示制御を行う。また、制御回路４０は、各画素ＰIXの階調を時分割で指定する画像信号ＶIDや、各配線群Ｂ[j]（ｊ＝１〜Ｊ）内のデータ線１４の本数に相当する８系統の選択信号ＳEL[1]〜ＳEL[8]を信号供給回路２４に供給する。
通常、一つの表示画面を構成する表示データはフレーム単位で処理され、この処理期間が１フレーム期間（１Ｆ）である。フレーム期間Ｆは、一つの表示画面が１回の垂直走査で構成される場合、垂直走査期間Ｖに相当する。
【００２８】
走査線駆動回路２２は、走査信号Ｇ［１］〜Ｇ［Ｍ］をＭ本の走査線１２の各々に出力する。走査線駆動回路２２は、制御回路４０から水平同期信号Ｈｓが出力されるのに応じて、垂直走査期間Ｖ内に各走査線１２に対する走査信号Ｇ［１］〜Ｇ［Ｍ］を一水平走査期間（１Ｈ）ずつ順次アクティブレベルとする。
【００２９】
ここで、第ｍ行に対応した走査信号Ｇ［ｍ］がアクティブレベルであり、当該行に対応した走査線が選択されている期間は、第ｍ行のＮ個の画素回路ＰIXの各スイッチング素子ＳWがＯＮ状態となる。その結果、これらのスイッチング素子ＳWを各々介してＮ本のデータ線１４が第ｍ行のＮ個の画素回路ＰIXの各画素電極６２に各々電気的に接続される。
【００３０】
図４は、信号供給回路２４のブロック図である。図４に示すように、信号供給回路２４は、データ線駆動部としての信号生成回路５２とデータ線選択部としての信号分配回路５４とを含んで構成される。信号生成回路５２と信号分配回路５４とは、相異なる配線群Ｂ[j]に対応するＪ本の制御線１６で相互に接続される。信号生成回路５２は、集積回路（チップ）の形態で実装され、走査線駆動回路２２および信号分配回路５４は、画素ＰIXと同じ基板の表面に形成された薄膜トランジスターで構成される。ただし、駆動用集積回路２００の実装の形態は任意に変更される。
【００３１】
図４の信号生成回路５２は、相異なる配線群Ｂ[j]に対応するＪ系統の制御信号Ｃ[1]〜Ｃ[J]を各制御線１６に並列に供給する。信号生成回路５２は、図５に示すように、一水平走査期間（１Ｈ）内の帰線期間に含まれる第２期間としてのプリチャージ期間ＴPREにて制御信号Ｃ[1]〜Ｃ[J]を第２電圧としてのプリチャージ電圧ＶPRE（ＶPREa，ＶPREb）に設定する。プリチャージ電圧ＶPREは、所定の基準電位ＶREF（例えば階調電位ＶGの振幅中心に相当する電位）に対して負極性の電位に設定される。
【００３２】
信号生成回路５２は、第ｍ行の走査線１２が選択される一水平走査期間（１Ｈ）内の第１期間としての階調表示期間ＴWRTにおいて、制御信号Ｃ[j]を、第ｍ行の走査線１２と配線群Ｂ[j]の８本のデータ線１４との各交差に対応する８個の画素ＰIXの指定階調に応じた階調電位ＶGに時分割で設定する。各画素ＰIXの指定階調は、制御回路４０から供給される画像信号ＶIDで規定される。基準電位ＶREFに対する階調電位ＶGの極性は周期的（例えば垂直走査期間Ｖ毎）に順次に反転される。制御信号Ｃ[1]〜Ｃ[J]の各々は、階調電位ＶGが基準電位ＶREFに対して正極性に設定される階調表示期間ＴWRTの直前のプリチャージ期間ＴPREではプリチャージ電圧ＶPREaに設定される。また、制御信号Ｃ[1]〜Ｃ[J]の各々は、階調電位ＶGが負極性に設定される階調表示期間ＴWRTの直前のプリチャージ期間ＴPREではプリチャージ電圧ＶPREbに設定される。プリチャージ電圧ＶPREaは、プリチャージ電圧ＶPREbよりも低い電圧（基準電位ＶREFとの差異が大きい電圧）に設定される。
【００３３】
図４に示すように、信号分配回路５４は、相異なる配線群Ｂ[j]に対応するＪ個の分配回路５６[1]〜５６[J]を具備する。第ｊ番目の分配回路５６[j]は、第ｊ番目の制御線１６に供給される制御信号Ｃ[j]を配線群Ｂ[j]の８本のデータ線１４の各々に分配する回路（デマルチプレクサー）である。分配回路５６[j]は、配線群Ｂ[j]の相異なるデータ線１４に対応する８個のスイッチ５８[1]〜５８[8]を含んで構成される。分配回路５６[j]の第ｋ番目（ｋ＝１〜８）のスイッチ５８[k]は、配線群Ｂ[j]の８本のデータ線１４のうち第ｋ列目のデータ線１４とＪ本の制御線１６のうち第ｊ番目の制御線１６との間に介在して両者間の電気的な接続（導通／非導通）を制御する。制御回路４０が生成した各選択信号ＳEL[k]は、Ｊ個の分配回路５６[1]〜５６[J]の各々における第ｋ番目のスイッチ５８[k]（信号分配回路５４内で合計Ｊ個のスイッチ５８[k]）のゲートに並列に供給される。
【００３４】
制御回路４０は、フレームメモリーを備えており、画素部１０の解像度に相当するＭ×Ｎビットのメモリー空間を少なくとも有し、図示しない外部のホストＣＰＵ装置から入力される表示データをフレーム単位で格納・保持する。ここで、画素部１０の階調を規定する表示データは、一例として、６ビットで構成される６４階調データである。フレームメモリーより読み出された表示データは、６ビットのバスを介して、画像信号ＶIDとして信号生成回路５２にシリアルに転送される。
なお、制御回路４０は、少なくとも１ライン分のラインメモリーを備える構成であってもよい。この場合、前記ラインメモリーに、１ライン分の画像信号ＶIDを蓄えて、当該画像信号ＶIDを各画素に転送する。
【００３５】
信号生成回路５２には、Ｄ／Ａ変換部としてのＤ／Ａ（Digital to Analog）変換回路と、電圧増幅部とが備えられている。Ｄ／Ａ変換回路は、グループ化されたデジタルデータと、アナログ電圧生成回路によって生成されるアナログ電圧に基づいてＤ／Ａ変換を行い、さらに電圧増幅部により増幅を行ってアナログデータとしての電圧を生成する。これにより、８画素単位で時系列化された画像信号ＶIDも階調電位ＶGに対応する所定のデータ電圧（第１電圧）に変換される。また、プリチャージ信号も制御回路４０から供給され、所定のプリチャージ電圧（第２電圧）に変換され、そして、プリチャージ電圧と８画素分のデータ電圧とのセットは、この順序で各制御線１６に供給される。以上のように、信号生成回路５２は、第２電圧としてのプリチャージ電圧の出力部としても機能する。
【００３６】
次に、本実施形態におけるプリチャージ電圧の間引き駆動について説明する。図６は制御回路４０に設けられたデータ線１４の選択信号ＳEL[1]〜ＳEL[8]の選択回路の構成を示すブロック図である。図６に示すように、データ線１４の選択信号ＳEL[1]〜ＳEL[8]の選択回路は、１ビットのＨカウンター４１と、１ビットのＶカウンター４２と、出力ＳＥＬ選択回路４３と、スイッチ４４とを備えている。Ｖカウンター４２は、同期信号ＶSYNCに同期して動作し、例えば、最初の垂直走査期間Ｖにおいて「０」の値をとり、次の垂直走査期間Ｖにおいて「１」の値をとる。また、Ｈカウンター４１は、同期信号ＨSYNCに同期して動作し、例えば、最初の水平走査期間Ｈにおいて「０」の値をとり、次の水平走査期間Ｈにおいて「１」の値をとる。
【００３７】
出力ＳＥＬ選択回路４３は、Ｈカウンター４１とＶカウンター４２の値に基づいて、スイッチ４４をＯＮ／ＯＦＦさせる。本実施形態においては、出力ＳＥＬ選択回路４３は、一例として、図７に示す規則にしたがってスイッチ４４をＯＮ／ＯＦＦさせる。図７は、図６の選択回路におけるプリチャージ電圧供給時のカウンター値と選択信号ＳEL[1]〜ＳEL[8]との関係を示す図である。例えば、最初の垂直走査期間Ｖにおいては、Ｖカウンター４２の値は「０」となっている。したがって、最初の水平走査期間ＨにおいてＨカウンター４１が「０」の値となる時に、出力ＳＥＬ選択回路４３は、奇数番目の選択信号ＳEL[1]，ＳEL[3]，ＳEL[5]，ＳEL[7]をアクティブとするように、対応するスイッチ４４をＯＮ状態とする。また、次の水平走査期間ＨにおいてＨカウンター４１が「１」の値となる時に、出力ＳＥＬ選択回路４３は、偶数番目の選択信号ＳEL[2]，ＳEL[4]，ＳEL[6]，ＳEL[8]をアクティブとするように、対応するスイッチ４４をＯＮ状態とする。出力ＳＥＬ選択回路４３は、以下同様にして処理を行う。つまり、一水平走査期間（１Ｈ）ごとに、奇数番目の選択信号ＳEL[1]，ＳEL[3]，ＳEL[5]，ＳEL[7]と、偶数番目の選択信号ＳEL[2]，ＳEL[4]，ＳEL[6]，ＳEL[8]を順次アクティブとする。つまり、これらの選択信号ＳELに対応するスイッチ４４をＯＮ状態とする。
【００３８】
次に、図５のタイミングチャートを参照しつつ、本実施形態におけるプリチャージ電圧の間引き駆動の一例について説明する。図５は、駆動用集積回路２００のタイミングチャートである。図５に示すように、制御回路４０は、最初の垂直走査期間（正極性駆動の期間）においては、次のように制御を行う。制御回路４０は、第ｍ行（ｍは自然数）の走査線１２が選択される一水平走査期間内のプリチャージ期間ＴPREには、奇数番目の選択信号ＳEL[1]，ＳEL[3]，ＳEL[5]，ＳEL[7]をアクティブレベル（スイッチ５８[k]をオン状態に遷移させる電位）に設定する。したがって、当該一水平走査期間内のプリチャージ期間ＴPREでは、信号分配回路５４内の全部（Ｊ×８個）のスイッチ５８[k]がオン状態に遷移する。その結果、Ｎ本のデータ線１４のうち、奇数番目のデータ線１４と、当該データ線１４と第ｍ行の走査線１２の交差に対応する各画素ＰIX内の画素電極６２にプリチャージ電圧ＶPREが供給される。以上のような各画素ＰIXに対する階調電位ＶGの供給前（書込前）に各データ線１４の電位がプリチャージ電圧ＶPREに初期化されるから、表示画像の階調斑（縦クロストーク）を防止することが可能である。
【００３９】
他方、第ｍ行の走査線１２が選択される一水平走査期間内の階調表示期間ＴWRTにおいて、制御回路４０は、８系統の選択信号ＳEL[1]〜ＳEL[8]を８個の選択期間Ｓ[1]〜Ｓ[8]にて順番にアクティブレベルに設定する。したがって、第ｍ行の走査線１２が選択される一水平走査期間内の選択期間Ｓ[k]では、分配回路５６[1]〜５６[J]の各々における８個のスイッチ５８[1]〜５８[8]のうち第ｋ番目のスイッチ５８[k]がオン状態に遷移する。なお、信号分配回路５４内には合計Ｊ個のスイッチ５８[k]が存在している。その結果、各配線群Ｂ[j]の第ｋ列目のデータ線１４に制御信号Ｃ[j]の階調電位ＶGが供給される。すなわち、当該一水平走査期間内の階調表示期間ＴWRTでは、Ｊ個の配線群Ｂ[1]〜Ｂ[J]の各々において当該配線群Ｂ[j]内の８本のデータ線１４に階調電位ＶGが時分割で供給される。第ｍ番目の水平走査期間Ｈ内の選択期間Ｓ[k]において、階調電位ＶGは、第ｍ行の走査線１２と配線群Ｂ[j]の第ｋ列目のデータ線１４との交差に対応する画素ＰIXの指定階調に応じて設定される。
【００４０】
次に、図５に示すように、制御回路４０は、最初の垂直走査期間Ｖにおいて、第ｍ＋１行（ｍは自然数）の走査線１２が選択される一水平走査期間内のプリチャージ期間ＴPREには、偶数番目の選択信号ＳEL[2]，ＳEL[4]，ＳEL[6]，ＳEL[8]をアクティブレベルに設定する。つまり、スイッチ５８[k]をオン状態に遷移させる電位に設定する。したがって、当該一水平走査期間内のプリチャージ期間ＴPREでは、信号分配回路５４内の全部（Ｊ×８個）のスイッチ５８[k]がオン状態に遷移する。その結果、Ｎ本のデータ線１４のうち、偶数番目のデータ線１４と、当該データ線１４と第ｍ＋１行の走査線１２の交差に対応する各画素ＰIX内の画素電極６２にプリチャージ電圧ＶPREが供給される。以上のような各画素ＰIXに対する階調電位ＶGの供給前（書込前）に各データ線１４の電位がプリチャージ電圧ＶPREに初期化されるから、表示画像の階調斑（縦クロストーク）を防止することが可能である。
【００４１】
他方、第ｍ＋１行の走査線１２が選択される一水平走査期間内の階調表示期間ＴWRTにおいて、制御回路４０は、８系統の選択信号ＳEL[1]〜ＳEL[8]を８個の選択期間Ｓ[1]〜Ｓ[8]にて順番にアクティブレベルに設定する。したがって、当該一水平走査期間内の選択期間Ｓ[k]では、分配回路５６[1]〜５６[J]の各々における８個のスイッチ５８[1]〜５８[8]のうち第ｋ番目のスイッチ５８[k]がオン状態に遷移する。なお、信号分配回路５４内で合計Ｊ個のスイッチ５８[k]が存在する。その結果、各配線群Ｂ[j]の第ｋ列目のデータ線１４に制御信号Ｃ[j]の階調電位ＶGが供給される。すなわち、当該一水平走査期間内の階調表示期間ＴWRTでは、Ｊ個の配線群Ｂ[1]〜Ｂ[J]の各々において当該配線群Ｂ[j]内の８本のデータ線１４に階調電位ＶGが時分割で供給される。第ｍ＋１番目の水平走査期間内の選択期間Ｓ[k]において、階調電位ＶGは、第ｍ＋１行の走査線１２と配線群Ｂ[j]の第ｋ列目のデータ線１４との交差に対応する画素ＰIXの指定階調に応じて設定される。
【００４２】
以下、同様にして、当該垂直走査期間Ｖにおけるプリチャージ電圧および階調電位の書込み動作が繰り返される。
【００４３】
制御回路４０は、図５に示す次の垂直走査期間Ｖ（負極性駆動の期間）においては、第ｍ行（ｍは自然数）の走査線１２が選択される一水平走査期間内のプリチャージ期間ＴPREには、偶数番目の選択信号ＳEL[2]，ＳEL[4]，ＳEL[6]，ＳEL[8]をアクティブレベルに設定する。つまり、スイッチ５８[k]をオン状態に遷移させる電位に設定する。したがって、当該一水平走査期間内のプリチャージ期間ＴPREでは、信号分配回路５４内の全部（Ｊ×８個）のスイッチ５８[k]がオン状態に遷移する。その結果、Ｎ本のデータ線１４のうち、偶数番目のデータ線１４と、当該データ線１４と第ｍ行の走査線１２の交差に対応する各画素ＰIX内の画素電極６２にプリチャージ電圧ＶPREが供給される。以上のような各画素ＰIXに対する階調電位ＶGの供給前（書込前）に各データ線１４の電位がプリチャージ電圧ＶPREに初期化されるから、表示画像の階調斑（縦クロストーク）を防止することが可能である。
【００４４】
他方、第ｍ行の走査線１２が選択される一水平走査期間内の階調表示期間ＴWRTにおいて、制御回路４０は、８系統の選択信号ＳEL[1]〜ＳEL[8]を８個の選択期間Ｓ[1]〜Ｓ[8]にて順番にアクティブレベルに設定する。したがって、当該一水平走査期間内の選択期間Ｓ[k]では、分配回路５６[1]〜５６[J]の各々における８個のスイッチ５８[1]〜５８[8]のうち第ｋ番目のスイッチ５８[k]がオン状態に遷移する。なお、信号分配回路５４内で合計Ｊ個のスイッチ５８[k]が存在する。その結果、各配線群Ｂ[j]の第ｋ列目のデータ線１４に制御信号Ｃ[j]の階調電位ＶGが供給される。すなわち、当該一水平走査期間内の階調表示期間ＴWRTでは、Ｊ個の配線群Ｂ[1]〜Ｂ[J]の各々において当該配線群Ｂ[j]内の８本のデータ線１４に階調電位ＶGが時分割で供給される。第ｍ番目の水平走査期間内の選択期間Ｓ[k]において、階調電位ＶGは、第ｍ行の走査線１２と配線群Ｂ[j]の第ｋ列目のデータ線１４との交差に対応する画素ＰIXの指定階調に応じて設定される。
【００４５】
次に、図５に示すように、制御回路４０は、当該垂直走査期間Ｖにおいて、第ｍ＋１行（ｍは自然数）の走査線１２が選択される一水平走査期間内のプリチャージ期間ＴPREには、奇数番目の選択信号ＳEL[1]，ＳEL[3]，ＳEL[5]，ＳEL[7]をアクティブレベルに設定する。つまり、スイッチ５８[k]をオン状態に遷移させる電位に設定する。したがって、当該一水平走査期間内のプリチャージ期間ＴPREでは、信号分配回路５４内の全部（Ｊ×８個）のスイッチ５８[k]がオン状態に遷移する。その結果、Ｎ本のデータ線１４のうち、奇数番目のデータ線１４と、当該データ線１４と第ｍ＋１行の走査線１２の交差に対応する各画素ＰIX内の画素電極６２にプリチャージ電圧ＶPREが供給される。以上のような各画素ＰIXに対する階調電位ＶGの供給前（書込前）に各データ線１４の電位がプリチャージ電圧ＶPREに初期化されるから、表示画像の階調斑（縦クロストーク）を防止することが可能である。
【００４６】
他方、第ｍ+１行の走査線１２が選択される一水平走査期間内の階調表示期間ＴWRTにおいて、制御回路４０は、８系統の選択信号ＳEL[1]〜ＳEL[8]を８個の選択期間Ｓ[1]〜Ｓ[8]にて順番にアクティブレベルに設定する。したがって、当該一水平走査期間内の選択期間Ｓ[k]では、分配回路５６[1]〜５６[J]の各々における８個のスイッチ５８[1]〜５８[8]のうち第ｋ番目のスイッチ５８[k]がオン状態に遷移する。なお、信号分配回路５４内で合計Ｊ個のスイッチ５８[k]が存在する。その結果、各配線群Ｂ[j]の第ｋ列目のデータ線１４に制御信号Ｃ[j]の階調電位ＶGが供給される。すなわち、当該一水平走査期間内の階調表示期間ＴWRTでは、Ｊ個の配線群Ｂ[1]〜Ｂ[J]の各々において当該配線群Ｂ[j]内の８本のデータ線１４に階調電位ＶGが時分割で供給される。第ｍ＋１番目の水平走査期間内の選択期間Ｓ[k]において、階調電位ＶGは、第ｍ＋１行の走査線１２と配線群Ｂ[j]の第ｋ列目のデータ線１４との交差に対応する画素ＰIXの指定階調に応じて設定される。
【００４７】
以下、同様にして、当該垂直走査期間Ｖにおけるプリチャージ電圧および階調電位の書込み動作が繰り返される。また、これ以降の垂直走査期間Ｖにおいても、同様にプリチャージ電圧および階調電位の書込み動作が繰り返される。
【００４８】
以上のように、本実施形態によれば、プリチャージ電圧の書込み期間においては、全てのデータ線１４を一斉に選択するのではなく、１本データ線１４（偶数番目のデータ線）ごとに、データ線１４を非選択とするように信号分配回路５４を制御する。また、一水平走査期間（１Ｈ）ごとに、異なるデータ線１４を非選択とするように信号分配回路５４を制御する。したがって、図８に示すように、プリチャージ電圧の書込みが行われるデータ線１４及び画素は、走査線１２の方向においても、また、データ線１４の方向においても交互に配置されることになる。図８は、本実施形態における第ｎ番目のフレームでのプリチャージ電圧供給時のデータ線１４並びに画素の選択および非選択のパターンを示す図である。
【００４９】
図９は、本実施形態における第ｎ＋１番目のフレームでのプリチャージ電圧供給時のデータ線並びに画素の選択および非選択のパターンを示す図である。図９に示すように、第ｎ＋１番目のフレームにおいては、プリチャージ電圧の書込み期間に、図８に示す第ｎ番目のフレームにおける選択パターンと異なるように制御を行う。つまり、１本データ線１４（奇数番目のデータ線）ごとにデータ線１４を非選択とし、一水平走査期間（１Ｈ）ごとに異なるデータ線１４を非選択とするように信号分配回路５４を制御する。
【００５０】
本実施形態によれば、以上のようにプリチャージ電圧の書込みが行われるデータ線１４と画素が、１フレーム期間（１Ｆ）で走査線１２の方向およびデータ線１４の方向に交互に配置されることになる。したがって、一水平走査期間（１Ｈ）の単位で処理を行っても、プリチャージ電圧の書込みが行われるデータ線１４および画素と、プリチャージ電圧の書込みが行われないデータ線１４および画素との差が認識し難くなる。その結果、ローテーションノイズの発生を抑えつつ、プリチャージ電圧の間引き駆動による一水平走査期間（１Ｈ）の短縮化が可能となる。
【００５１】
また、本実施形態によれば、選択信号ＳEL[1]〜ＳEL[8]の一水平走査期間内（１Ｈ）におけるデューティー比を変更する必要がなく、奇数番目の選択信号と偶数番目の選択信号とを、走査線１２の方向およびデータ線１４の方向において交互に選択または非選択にする。したがって、制御の簡易化を図ることが可能になる。
【００５２】
＜第２実施形態＞
次に、本発明の第２実施形態について図１０ないし図１３を参照しつつ説明する。図１０は、本実施形態における第ｎ番目のフレームでのプリチャージ電圧供給時のデータ線１４並びに画素の選択および非選択のパターンを示す図である。図１１は、本実施形態における第ｎ＋１番目のフレームでのプリチャージ電圧供給時のデータ線１４並びに画素の選択および非選択のパターンを示す図である。図１２は、本実施形態における第ｎ番目のフレームでのプリチャージ電圧供給時のデータ線１４並びに画素の選択および非選択の他のパターンを示す図である。図１３は、本実施形態における第ｎ＋１番目のフレームでのプリチャージ電圧供給時のデータ線１４並びに画素の選択および非選択の他のパターンを示す図である。
【００５３】
第１実施形態においては、Ｈカウンター４１およびＶカウンター４２として、共に１ビットのカウンターを用いたが、本発明はこのような構成に限定されるものではない。例えば、Ｈカウンター４１を２ビットで構成してもよい。図１０に示すように、最初の垂直走査期間Ｖにおいては、Ｈカウンター４１の値が「０」と「１」の時には、奇数番目の選択信号ＳEL[1]，ＳEL[3]，ＳEL[5]，ＳEL[7]をアクティブレベルとする。また、Ｈカウンター４１の値が「２」と「３」の時には、偶数番目の選択信号ＳEL[2]，ＳEL[4]，ＳEL[6]，ＳEL[8]をアクティブレベルとする。
【００５４】
同様に、図１１に示すように、次の垂直走査期間Ｖにおいては、Ｈカウンター４１の値が「０」と「１」の時には、偶数番目の選択信号ＳEL[2]，ＳEL[4]，ＳEL[6]，ＳEL[8]をアクティブレベルとする。また、Ｈカウンター４１の値が「２」と「３」の時には、奇数番目の選択信号ＳEL[1]，ＳEL[3]，ＳEL[5]，ＳEL[7]をアクティブレベルとする。
【００５５】
このように制御を行った場合でも、走査線１２の方向においては、第１実施形態と同様に、１本のデータ線１４ごとに、データ線１４と画素が非選択とされ、これらのデータ線１４と画素にはプリチャージ電圧の書込みは行われない。しかし、データ線１４の方向においては、二水平走査期間（２Ｈ）ごとに、その前の二水平走査期間（２Ｈ）とは異なるパターンでデータ線１４と画素が非選択とされる。これらのデータ線１４と画素にも、プリチャージ電圧の書込みは行われない。
このような制御方法でも、プリチャージ電圧の書込みが行われるデータ線１４および画素と、プリチャージ電圧の書込みが行われないデータ線１４および画素とを分散させることができる。したがって、一水平走査期間（１Ｈ）の単位で処理を行っても、プリチャージ電圧の書込みが行われるデータ線１４および画素と、プリチャージ電圧の書込みが行われないデータ線１４および画素との差が認識し難くなる。その結果、ローテーションノイズの発生を抑えつつ、プリチャージ電圧の間引き駆動による一水平走査期間Ｈの短縮化が可能となる。また、本実施形態によれば、選択信号ＳEL[1]〜ＳEL[8]の一水平走査期間内におけるデューティー比を変更する必要がなく、奇数番目の選択信号と偶数番目の選択信号とを、走査線１２の方向およびデータ線１４の方向において交互に選択または非選択にする。したがって、制御の簡易化を図ることが可能になる。
【００５６】
また、Ｈカウンター４１を１ビットで構成した場合でも、図１２および図１３に示すように、２本のデータ線１４ごとに、データ線１４と画素を非選択とするように制御してよい。つまり、図１２に示すように、Ｖカウンター４２の値が「０」で、Ｈカウンター４１の値が「０」の時には、第１番目と第２番目の選択信号ＳEL[1]，ＳEL[2]、および第５番目と第６番目の選択信号ＳEL[5]，ＳEL[6]をアクティブレベルとする。また、第３番目と第４番目の選択信号ＳEL[3]，ＳEL[4]、および第７番目と第８番目の選択信号ＳEL[7]，ＳEL[8]を非アクティブレベルとする。同様に、Ｈカウンター４１の値が「１」の時には、第３番目と第４番目の選択信号ＳEL[3]，ＳEL[4]、および第７番目と第８番目の選択信号ＳEL[7]，ＳEL[8]をアクティブレベルとする。また、第１番目と第２番目の選択信号ＳEL[1]，ＳEL[2]、および第５番目と第６番目の選択信号ＳEL[5]，ＳEL[6]を非アクティブレベルとする。
【００５７】
さらに、Ｖカウンター４２の値が「１」の場合には、図１３に示すように、Ｈカウンター４１の値が「０」の時には、第３番目と第４番目の選択信号ＳEL[3]，ＳEL[4]、および第７番目と第８番目の選択信号ＳEL[7]，ＳEL[8]をアクティブレベルとする。また、第１番目と第２番目の選択信号ＳEL[1]，ＳEL[2]、および第５番目と第６番目の選択信号ＳEL[5]，ＳEL[6]を非アクティブレベルとする。そして、Ｈカウンター４１の値が「１」の時には、第１番目と第２番目の選択信号ＳEL[1]，ＳEL[2]、および第５番目と第６番目の選択信号ＳEL[5]，ＳEL[6]をアクティブレベルとする。また、第３番目と第４番目の選択信号ＳEL[3]，ＳEL[4]、および第７番目と第８番目の選択信号ＳEL[7]，ＳEL[8]を非アクティブレベルとする。
【００５８】
このような制御方法でも、プリチャージ電圧の書込みが行われるデータ線１４および画素と、プリチャージ電圧の書込みが行われないデータ線１４および画素とを分散させることができる。したがって、一水平走査期間の単位で処理を行っても、プリチャージ電圧の書込みが行われるデータ線１４および画素と、プリチャージ電圧の書込みが行われないデータ線１４および画素との差が認識し難くなる。その結果、ローテーションノイズの発生を抑えつつ、プリチャージ電圧の間引き駆動による一水平走査期間（１Ｈ）の短縮化が可能となる。また、本実施形態によれば、選択信号ＳEL[1]〜ＳEL[8]の一水平走査期間内（１Ｈ）におけるデューティー比を変更する必要がなく、奇数番目の選択信号と偶数番目の選択信号とを、走査線１２の方向およびデータ線１４の方向において交互に選択または非選択にする。したがって、制御の簡易化を図ることが可能になる。
【００５９】
また、走査線１２の方向およびデータ線１４の方向において、選択または非選択を交互に行わなくても、ローテーションノイズの発生を抑えつつ、プリチャージ電圧の間引き駆動による一水平走査期間（１Ｈ）の短縮化が可能となる。
例えば、所定の垂直走査期間Ｖで、第ｍ行の走査線１２が選択される一水平走査期間（１Ｈ）で、第１番目と第５番目の選択信号ＳEL[1]とＳEL[5]を、第ｍ＋１行の走査線１２が選択される一水平走査期間（１Ｈ）で、第２番目と第６番目の選択信号ＳEL[2]とＳEL[6]を、第ｍ＋２行の走査線１２が選択される一水平走査期間（１Ｈ）で、第３番目と第７番目の選択信号ＳEL[3]とＳEL[7]を、第４番目と第８番目の選択信号ＳEL[4]とＳEL[8]を、アクティブレベルとし、プリチャージ選択画素が構成し、垂直走査期間Ｖごとに、プリチャージ選択画素を走査線の方向に移動させることが能である。
【００６０】
＜変形例＞
本発明は、上述した各実施形態に限定されるものではなく、例えば、以下に述べる各種の変形が可能である。また、各実施形態及び各変形例を適宜組み合わせてもよいことは勿論である。
【００６１】
（１）上述した実施形態では、プリチャージ電圧として、正極性駆動と負極性駆動のそれぞれにおいて一定のプリチャージ電圧ＶPREa，ＶPREbを用いる構成について説明したが、本発明はこのような構成に限定されるものではない。例えば、１段目のプリチャージは画質改善を目的として行われる低電位プリチャージ電圧を供給し。２段目のプリチャージは画像信号の書込み補助を目的として行われる高電位プリチャージ電圧を供給する、いわゆる２段プリチャージ駆動にも適用可能である。２段プリチャージ駆動においては、１段目のプリチャージ電圧の書込みと、２段目のプリチャージ電圧の書込みのそれぞれにおいて選択信号をアクティブレベルとする。したがって、上述した実施形態の例に倣って、アクティブレベルとする選択信号と非アクティブレベルとする選択信号を選択すればよい。
【００６２】
（２）上述した実施形態では、８本のデータ線１４により配線群Ｂ[j]を構成し、分配回路５６も８本のデータ線１４に対応するように構成した。その結果、選択信号についても、選択信号ＳEL[1]〜ＳEL[8]の８種類の選択信号を用いた。しかし、本発明はこのような構成に限定されるものでなく、配線群Ｂ[j]を構成するデータ線１４の数、および、選択信号の数は適宜変更可能である。
【００６３】
（３）上述した実施形態では、プリチャージ電圧の書込み期間において、１本または２本のデータ線１４ごとに、データ線１４および画素を非選択する構成について説明した。また、一水平走査期間ごと、あるいは二水平走査期間ごとに、その前の一水平走査期間または二水平走査期間とは異なるパターンでデータ線１４および画素を非選択する構成について説明した。しかし、本発明はこのような構成に限定されるものではなく、間引きするデータ線１４および水平走査期間の数は適宜変更可能である。
【００６４】
（４）上述した実施形態においては電気光学材料の一例として液晶を取上げたが、それら以外の電気光学材料を用いた電気光学装置にも本発明は適用される。電気光学材料とは、電気信号（電流信号または電圧信号）の供給によって透過率や輝度といった光学的特性が変化する材料である。例えば、有機ＥＬ（ElectroLuminescent）、無機ＥＬや発光ポリマーなどの発光素子を用いた表示パネルに対しても上記実施形態と同様に本発明が適用され得る。また、着色された液体と当該液体に分散された白色の粒子とを含むマイクロカプセルを電気光学材料として用いた電気泳動表示パネルに対しても上記実施形態と同様に本発明が適用され得る。さらに、極性が相違する領域ごとに異なる色に塗り分けられたツイストボールを電気光学材料として用いたツイストボールディスプレイパネルに対しても上記実施形態と同様に本発明が適用され得る。黒色トナーを電気光学材料として用いたトナーディスプレイパネル、あるいはヘリウムやネオンなどの高圧ガスを電気光学材料として用いたプラズマディスプレイパネルなど各種の電気光学装置に対しても上記実施形態と同様に本発明が適用され得る。
【００６５】
＜応用例＞
この発明は、各種の電子機器に利用され得る。図１４ないし図１６は、この発明の適用対象となる電子機器の具体的な形態を例示するものである。
【００６６】
図１４は、電気光学装置を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【００６７】
図１５は、携帯電話機の斜視図である。携帯電話機３０００は、複数の操作ボタン３００１およびスクロールボタン３００２と、各種の画像を表示する電気光学装置１とを備える。スクロールボタン３００２を操作することによって、電気光学装置１に表示される画面がスクロールされる。本発明はこのような携帯電話機にも適用可能である。
【００６８】
図１６は、電気光学装置を採用した投射型表示装置（３板式のプロジェクター）４０００の構成を示す模式図である。この投射型表示装置４０００は、相異なる表示色Ｒ、Ｇ、Ｂに各々対応する３個の電気光学装置１（１Ｒ，１Ｇ，１Ｂ）を含んでいる。照明光学系４００１は、照明装置（光源）４００２からの出射光のうち赤色成分ｒを電気光学装置１Ｒに供給し、緑色成分ｇを電気光学装置１Ｇに供給し、青色成分ｂを電気光学装置１Ｂに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。本発明はこのような液晶プロジェクターにも適用可能である。
【００６９】
なお、本発明が適用される電子機器としては、図１、図１４ないし図１６に例示した機器のほか、携帯情報端末（ＰＤＡ：Ｐｅｒｓｏｎａｌ  Ｄｉｇｉｔａｌ  Ａｓｓｉｓｔａｎｔｓ）が挙げられる。その他にも、デジタルスチルカメラ，テレビ，ビデオカメラ，カーナビゲーション装置，車載用の表示器（インパネ），電子手帳，電子ペーパー，電卓，ワードプロセッサー，ワークステーション，テレビ電話，ＰＯＳ端末が挙げられる。さらに、プリンター，スキャナー，複写機，ビデオプレーヤー，タッチパネルを備えた機器等などが挙げられる。
【符号の説明】
【００７０】
１…電気光学装置、１０…画素部、１２…走査線、１４…データ線、１６…制御線、２２…走査線駆動回路、２４…信号供給回路、４０…制御回路、４１…Ｈカウンター、４２…Ｖカウンター、４３…出力ＳＥＬ選択回路、４４…スイッチ、５２…信号生成回路、５４…信号分配回路、５６…分配回路、５８…スイッチ、６０…液晶素子、６２…画素電極、６４…コモン電極、６６…液晶、１００…電気光学パネル、２００…駆動用集積回路、３００…フレキシブル回路基板、２０００…パーソナルコンピューター、３０００…携帯電話機、４０００…投射型表示装置、Ｂ[J]…配線群、Ｃ[J]…制御信号、Ｄ[n] …画像信号、ＤＣＬＫ…ドットクロック信号、Ｇ[m]…走査信号、ＨSYNC…同期信号、Ｈｓ…水平同期信号、ＬＣＣＯＭ…コモン電圧、ＰIX…画素回路、ＳEL[1]〜ＳEL[8]…選択信号、ＳW…スイッチング素子、ＴPRE…プリチャージ期間、ＴWRT…階調表示期間、ＶG…階調電位、ＶID…画像信号、ＶPRE,ＶPREa,ＶPREb…プリチャージ電圧、ＶREF…基準電位、ＶSYNC…同期信号、Ｖｓ…垂直同期信号。
【図１】
2017167425.tif 000003
【図２】
2017167425.tif 000004
【図３】
2017167425.tif 000005
【図４】
2017167425.tif 000006
【図５】
2017167425.tif 000007
【図６】
2017167425.tif 000008
【図７】
2017167425.tif 000009
【図８】
2017167425.tif 000010
【図９】
2017167425.tif 000011
【図１０】
2017167425.tif 000012
【図１１】
2017167425.tif 000013
【図１２】
2017167425.tif 000014
【図１３】
2017167425.tif 000015
【図１４】
2017167425.tif 000016
【図１５】
2017167425.tif 000017
【図１６】
2017167425.tif 000018